(57)【要約】【課題】針管を各種薬剤や栄養剤の容器のゴム製や合成樹脂製等の密閉蓋に小さい力で容易に穿刺することができ、かつ、損傷を受けにくい合成樹脂製瓶針を提供すること。【解決手段】針管２と、針管２の基部に設けられた把持部３と、把持部３の後方に設けられたチューブ挿入部４とを備えた合成樹脂製の瓶針１において、針管２の先端部２１を鋭利に形成するとともに、先端部２１に軸方向にリブ２３を一体に形成する。【選択図】図１
2005237515.tif 000002
【特許請求の範囲】
【請求項１】
針管と該針管の基部に設けられた把持部とを備えた合成樹脂製の瓶針において、針管の先端部を鋭利に形成するとともに、該先端部に軸方向にリブを一体に形成したことを特徴とする合成樹脂製瓶針。
【請求項２】
針管の先端部の開口端面を凹状の円弧状面に形成したことを特徴とする請求項１記載の合成樹脂製瓶針。
【発明の詳細な説明】
【技術分野】
【０００１】
本発明は、合成樹脂製瓶針（スパイク針）に関し、特に、針管を、輸液バッグ、生理食塩水バッグ、流動食バッグ等の各種薬剤や栄養剤の容器に施されるゴム製や合成樹脂製等の密閉蓋に小さい力で容易に穿刺することができる合成樹脂製瓶針に関するものである。
【背景技術】
【０００２】
従来から病院等の医療現場においては、各種薬剤や栄養剤を患者に投与する場合、各種薬剤や栄養剤の容器に施されているゴム製や合成樹脂製等の密閉蓋に、チューブに装着した瓶針を穿刺し、薬剤や栄養剤を容器から取り出すようにしている。
【０００３】
瓶針は、針管と該針管の基部に設けられた把持部とを備え、針管は、輸液の流れを確保する必要上、例えば、数ｍｍ前後の内径を有するように、ある程度太く形成されている。
そして、合成樹脂によって一体成形された瓶針においては、さらに針管の外径が大きくなることから、穿刺するときの抵抗が大きく、密閉蓋に穿刺しにくいという問題を有していた。
また、瓶針により密閉蓋を穿刺する際には、最初に密閉蓋を突き破るときの１次抵抗と、針管を所定の位置まで刺し込むときの２次抵抗とがかかるが、これらの抵抗を低減するために、従来、瓶針の針管の先端部を鋭利に形成することも試みられている（例えば、特許文献１参照）が、このように瓶針の針管の先端部を鋭利に形成すると、針管の先端部がつぶれたり、変形しやすく、密閉蓋を穿刺する操作に支障を生じることがあった。さらに、密閉蓋を穿刺した際に針管の先端部がつぶれたり、変形しやすいため、各種薬剤や栄養剤の容器を新しい容器に交換する場合等に、新しい容器の密閉蓋を穿刺する操作が困難になるという問題があった。
【特許文献１】実開平７−１７２４８号公報
【発明の開示】
【発明が解決しようとする課題】
【０００４】
本発明は、上記従来の合成樹脂製瓶針の有する問題点に鑑み、針管を各種薬剤や栄養剤の容器のゴム製や合成樹脂製等の密閉蓋に小さい力で容易に穿刺することができ、かつ、損傷を受けにくい合成樹脂製瓶針を提供することを目的とする。
【課題を解決するための手段】
【０００５】
上記目的を達成するため、本発明の合成樹脂製瓶針は、針管と該針管の基部に設けられた把持部とを備えた合成樹脂製の瓶針において、針管の先端部を鋭利に形成するとともに、該先端部に軸方向にリブを一体に形成したことを特徴とする。
【０００６】
この場合において、針管の先端部の開口端面を凹状の円弧状面に形成することができる。
【発明の効果】
【０００７】
本発明の合成樹脂製瓶針によれば、針管と該針管の基部に設けられた把持部とを備えた合成樹脂製の瓶針において、針管の先端部を鋭利に形成するとともに、該先端部に軸方向にリブを一体に形成し、針管の先端部をリブにより補強することから、合成樹脂製瓶針の針管の先端部を鋭利にしても、針管の先端部が損傷を受けることがなく、これにより、針管を各種薬剤や栄養剤の容器のゴム製や合成樹脂製等の密閉蓋に小さい力で容易に穿刺することができる。また、密閉蓋を穿刺した際に針管の先端部が損傷を受けることがないため、各種薬剤や栄養剤の容器を新しい容器に交換する場合等に、引き抜いた瓶針をそのまま新しい容器の密閉蓋に小さい力で容易に穿刺することができる。
【０００８】
また、針管の先端部の開口端面を凹状の円弧状面に形成することにより、針管を各種薬剤や栄養剤の容器のゴム製や合成樹脂製等の密閉蓋に小さい力で一層容易に穿刺することができる。
【発明を実施するための最良の形態】
【０００９】
以下、本発明の合成樹脂製瓶針の実施の形態を、図面に基づいて説明する。
【実施例１】
【００１０】
図１に、本発明の合成樹脂製瓶針の一実施例を示す。
この瓶針１は、ＡＢＳ等の合成樹脂製の一体成型品からなり、針管２と、この針管２の基部に設けられた把持部３と、把持部３の後方に設けられたチューブ挿入部４とを備えている。
そして、この瓶針１は、針管２の先端部２１を鋭利に形成するとともに、この先端部２１に軸方向にリブ２３を一体に形成するようにしている。
【００１１】
針管２は、特に限定されるものではないが、数ｍｍ程度、より具体的には、３ｍｍ前後の内径を有し、その先端部２１の開口端面２２を、Ｒ１０〜３０、より好ましくは、約Ｒ２０の凹状の円弧状面に形成するとともに、側面（図１（ａ）及び（ｄ））を、２５〜３５°、より好ましくは、約３０°のテーパ角θに形成するようにしている。
また、針管２の先端部２１の切っ先２１ａは、特に鋭利に形成するようにしている。
これらにより、針管２を各種薬剤や栄養剤の容器のゴム製や合成樹脂製等の密閉蓋に小さい力で容易に穿刺することができる。
【００１２】
針管２の先端部２１に軸方向に形成するリブ２３は、各種薬剤や栄養剤の容器からの流通の支障にならないように、幅Ｗ：約１ｍｍ、高さＨ：約０．５〜０．７ｍｍ、切っ先２１ａからの長さＬ：１０〜１５ｍｍ程度に形成するようにしているが、特にこれに限定されるものではなく、針管２の形状等に応じて、適宜設定することができる。
また、リブ２３の断面形状は、半円形、矩形、三角形等の任意の形状とすることができる。
【００１３】
なお、リブ２３は、本実施例においては、針管２の先端部２１の内側に一体に形成されているが、針管２の先端部２１の外側に一体に形成することもでき、これにより、針管２の断面積が実質的に増すことになるが、各種薬剤や栄養剤の容器からの流通を円滑にすることができる利点がある。
【００１４】
把持部３は、針管２側に鍔部を備えて、所要大径に形成されており、また、チューブ挿入部４は、チューブよりやや大径の筒状に形成されている。
【００１５】
本実施例の瓶針１は、針管２とこの針管２の基部に設けられた把持部３とを備えた合成樹脂製の瓶針１において、針管２の先端部２１を鋭利に形成するとともに、先端部２１に軸方向にリブ２３を一体に形成し、針管２の先端部２１をリブ２３により補強することから、合成樹脂製の瓶針１においても、先端部２１を鋭利にしても、針管２の先端部が損傷を受けることがなく、これにより、針管２を輸液バッグ、生理食塩水バッグ、流動食バッグ等の各種薬剤や栄養剤の容器のゴム製や合成樹脂製等の密閉蓋に小さい力で容易に穿刺することができる。また、密閉蓋を穿刺した際に針管２の先端部２１が損傷を受けることがないため、各種薬剤や栄養剤の容器を新しい容器に交換する場合等に、引き抜いた瓶針１をそのまま新しい容器の密閉蓋に小さい力で容易に穿刺することができる。
【００１６】
以上、本発明の合成樹脂製瓶針について、実施例に基づいて説明したが、本発明は上記実施例に記載した構成に限定されるものではなく、その趣旨を逸脱しない範囲において適宜その構成を変更することができる。
【産業上の利用可能性】
【００１７】
本発明の合成樹脂製瓶針は、針管を各種薬剤や栄養剤の容器のゴム製や合成樹脂製等の密閉蓋に小さい力で容易に穿刺することができるという特性を有していることから、瓶針の用途に好適に用いることができる。
【図面の簡単な説明】
【００１８】
【図１】本発明の瓶針の一実施例を示し、（ａ）は平面図、（ｂ）は正面図、（ｃ）は（ａ）のＡ−Ａ線断面図、（ｄ）は（ａ）のＢ部拡大図である。
【符号の説明】
【００１９】
１    瓶針
２    針管
２１  先端部
２２  開口端面
２３  リブ
３    把持部
４    チューブ挿入部
【図１】
2005237515.tif 000003